(57)【要約】【課題】注油時における必要量の注油が行われたことの確認を容易且つ確実に行う。【解決手段】実施形態に係る油入静止誘導機器は、誘導機器本体が絶縁油と共に収容されるタンクと、前記タンク内の上部と導油管を介して連通され、前記絶縁油を冷却するための放熱器とを備え、前記導油管又は放熱器の最上部に、前記絶縁油の油面の高さを視認可能な確認窓が設けられている。【選択図】図１
2018195667.tif 000002
【特許請求の範囲】
【請求項１】
誘導機器本体が絶縁油と共に収容されるタンクと、
前記タンク内の上部と導油管を介して連通され、前記絶縁油を冷却するための放熱器とを備え、
前記導油管又は放熱器の最上部に、前記絶縁油の油面の高さを視認可能な確認窓が設けられている油入静止誘導機器。
【請求項２】
前記放熱器は、上部ヘッダと下部ヘッダとの間に複数枚の放熱パネルを有したユニット状の放熱器を複数個備えると共に、前記各上部ヘッダの高さ位置が前記タンクよりも高くなるように構成され、
前記導油管は、上方に延伸されて前記各放熱器の上部ヘッダにつながる複数の接続管からなり、
前記確認窓は、前記接続管のうち少なくともいずれか１つに設けられている請求項１記載の油入静止誘導機器。
【請求項３】
前記タンクの上方部には、前記絶縁油の劣化を防止するためのコンサベータが設けられており、
前記コンサベータは、前記確認窓よりも低い位置に設けられている請求項１又は２記載の油入静止誘導機器。
【発明の詳細な説明】
【技術分野】
【０００１】
本発明の実施形態は、油入静止誘導機器に関する。
【背景技術】
【０００２】
油入静止誘導機器、例えば高電圧受配電設備用の油入変圧器においては、変圧器本体を絶縁油と共にタンク内に収容すると共に、タンクの上部に、絶縁油の劣化を防止するためのコンサベータを設け、さらに、タンクの側方に絶縁油を冷却するための放熱器を設けて構成されるものがある（例えば、特許文献１参照）。
【０００３】
前記放熱器としては、タンクと連通する上下のヘッダ間に、複数枚のパネル状（薄板中空状）の放熱パネルを並べて配置して構成されるいわゆるパネル式の放熱器が知られている。このとき、設置面積を抑えつつ放熱効果を高めるために、放熱器を高さ方向に大型化することが行われている。
【先行技術文献】
【特許文献】
【０００４】
【特許文献１】実開昭５９−１０６１０９号公報
【発明の概要】
【発明が解決しようとする課題】
【０００５】
ところで、変圧器の組立て時において、タンク内及び放熱器を満たすように絶縁油の注油作業が行われる。上記のように放熱器の上端の高さが、タンクよりも高くなるような場合には、内部を真空引きした状態で、注油が行われる。この場合、放熱器の上端まで確実に絶縁油が注油されたことを確認するためには、放熱器の上部ヘッダの上端部に、気抜き口及びそれを塞ぐ栓を設けて、作業者が栓を外して気抜き口部分まで絶縁油が来ているかどうかを視認することが行われていた。
【０００６】
しかし、特に大型の変圧器の場合、放熱器の上部の高さ位置が、設置面（床）から４ｍ程度の高さにまでなることもあり、作業者が高い位置で確認作業を行わなければならず、給油の作業自体が、困難になることがあった。
【０００７】
そこで、注油時における必要量の注油が行われたことの確認を容易且つ確実に行うことができる油入静止誘導機器を提供する。
【課題を解決するための手段】
【０００８】
実施形態に係る油入静止誘導機器は、誘導機器本体が絶縁油と共に収容されるタンクと、前記タンク内の上部と導油管を介して連通され、前記絶縁油を冷却するための放熱器とを備え、前記導油管又は放熱器の最上部に、前記絶縁油の油面の高さを視認可能な確認窓が設けられている。
【図面の簡単な説明】
【０００９】
【図１】第１の実施形態を示すもので、変圧器の全体構成を概略的に示す正面図
【図２】タンクの上部の導油管部分を概略的に示す斜視図
【図３】放熱器の構成を概略的に示す斜視図
【図４】第２の実施形態を示すもので、変圧器の全体構成を概略的に示す正面図
【図５】１つの放熱器の上部部分を示す拡大正面図
【図６】第３の実施形態を示すもので、変圧器の全体構成を概略的に示す正面図
【発明を実施するための形態】
【００１０】
以下、高電圧受配電設備用の油入絶縁変圧器に適用したいくつかの実施形態について、図面を参照しながら説明する。尚、複数の実施形態において共通する部分については、符号を共通して使用し、詳しい説明や新たな図示を省略することとする。
【００１１】
（１）第１の実施形態
図１〜図３を参照して、第１の実施形態について述べる。図１は、本実施形態に係る油入静止誘導機器としての油入絶縁変圧器１（以下単に「変圧器１」という）の全体構成を概略的に示している。この変圧器１は、誘導機器本体としての変圧器本体２を収容するタンク３と、このタンク３の図で左右の側部に接続される複数個のユニット状の放熱器４と、タンク３の上部に設けられたコンサベータ５とを備えている。尚、本実施形態では、方向をいう場合には、タンク３のうち上面から見て長手方向を前後方向とする。
【００１２】
詳しく図示はしないが、前記変圧器本体２は、鉄心及びその鉄心に装着されたコイル等からなる周知構成を備える。前記タンク３は、図で前後方向に長い矩形箱状をなし、前記変圧器本体２を収容すると共に、図示はしないが。その変圧器本体２全体が浸されるように、絶縁媒体としての絶縁油（例えば鉱油）が充填されている。また、タンク３の前後の外面部には、変圧器本体２（コイル）と外部との接続用の複数個のブッシング７が設けられている。
【００１３】
詳しく図示はしないが、前記コンサベータ５は、周知のように、容器内に、ゴム膜（ゴム袋）で区画された絶縁油の貯留部を有し、その貯留部が配管により前記タンク３内と連通している。これにより、コンサベータ５は、絶縁油の温度変化に伴う膨張、収縮を吸収すると共に、外気との接触による劣化を防止するようになっている。
【００１４】
図１に示すように、タンク３の前面の下端部分には、注油口６が設けられており、この注油口６から絶縁油の注油が行われる。絶縁油は、タンク３内に加えて、各放熱器４内及びコンサベータ５の貯留部を満たすように注油される。この場合、図２にも示すように、タンク３の上面部には、左右両端部に位置して、タンク３内の絶縁油が流れる導油管８、８が前後方向に延びて設けられており、これら導油管８を介して各放熱器４に絶縁油が流れ込むようになっている。
【００１５】
ここで、前記放熱器４について、主として図３を参照して述べる。前記放熱器４は、前記タンク３内の絶縁油を冷却するためのもので、図１に示すように、前記タンク３の図で左右の側部に、ユニット状の放熱器４が、前後方向に並んで複数個ずつ設けられる。本実施形態では、放熱器４として、いわゆるパネル式の放熱器が採用されている。具体的には、図３に示すように、各放熱器４は、熱伝導性の良い金属から構成され、上部ヘッダ９、下部ヘッダ１０、それらの間を接続する複数枚の放熱パネル１１を備え、全体として、縦長の矩形ブロック状に構成されている。
【００１６】
そのうち上部ヘッダ９は、図で左右方向に延びる円筒パイプ状をなし、先端側が閉塞されていると共に、図２にも示すように、基端側が前記導油管８に連通するように接続されている。詳しく図示はしないが、上部ヘッダ９の外周面のうち下半部には、各放熱パネル１１の上端部が差込まれる切込み部が、左右方向に所定間隔で並んで設けられている。前記下部ヘッダ１０は、やはり図で左右方向に延びる円筒パイプ状をなし、先端側が閉塞され、基端側がタンク３内に連通するように該タンク３の側壁部の下端部に接続されている。詳しく図示はしないが、下部ヘッダ１０の外周面のうち上半部には、各放熱パネル１１の下端部が差込まれる切込み部が、左右方向に所定間隔で並んで設けられている。
【００１７】
前記放熱パネル１１は、図で上下方向に長く、前後方向に幅狭で、左右方向に薄型の薄板状をなすと共に、その内部には、長手方向つまり図で上下方向に延びて、上下両端面で開口する絶縁油流通穴（図示せず）が設けられている。複数の放熱パネル１１は、板面（扁平な面）が左右方向を向くようにして、図で左右方向に、一定の間隔を置いて平行に配置される。このとき、各放熱パネル１１の上端部は、上部ヘッダ９の切込み部に差込まれた状態で、溶接等により、絶縁油が漏れないような密閉状に接続される。これと共に、各放熱パネル１１の下端部は、下部ヘッダ１０の切込み部に差込まれた状態で、溶接等により、絶縁油が漏れないような密閉状に接続される。
【００１８】
これにて、図３に矢印ａで示すように、タンク内３で、変圧器本体２の熱により暖められた絶縁油は、対流により、導油管８から上部ヘッダ９を通して、放熱器４内に流入する。そして、放熱器４内で、上部ヘッダ９から各放熱パネル１１内に流入し、放熱パネル１１内を下降しながら外部との間で熱交換されて冷却される。この後、放熱パネル１１から下部ヘッダ１０に流入し、下部ヘッダ１０を通ってタンク３内に戻されるといった循環が行われる。このように絶縁油が循環することによって、タンク３内の絶縁油を冷却するようになっている。
【００１９】
さて、本実施形態の油入変圧器１にあっては、図１、図２に示すように、前記導油管８又は放熱器４の最上部に、絶縁油の油面の高さを視認可能な確認窓１２が設けられている。具体的には、確認窓１２は、左右の導油管８の前端面部に位置して設けられている。この確認窓１２は、例えば、導油管８の前端面に矩形の開口を形成すると共に、その開口を透明ガラスにより塞いで構成される。
【００２０】
ここで、上記構成の油入変圧器１にあっては、組立て時（設置時）において、注油口６から、タンク３内及び各放熱器４並びにコンサベータ５の貯留部を満たすように絶縁油の注油作業が行われる。この場合、例えば、タンク３や各放熱器４の内部を真空引きした状態で、注油が行われる。注油時において、必要な量の注油が行われたかどうか、つまり放熱器４の最上部である上部ヘッダ９部分まで絶縁油が注油されかどうかを確認する必要がある。
【００２１】
本実施形態では、作業者は、注油作業時に、上部ヘッダ９と同等の高さである導油管８に設けられた確認窓１２を通して油面の高さを視認することができる。これにより、必要な量の絶縁油の注油が完了したかどうか、つまり放熱器４の最上部まで絶縁油が行き渡ったどうかを、視認により容易に確認することができる。このとき、注油時における導油管８内の実際の油面の高さ位置の確認を行うことができる。
【００２２】
また、従来のような、作業者が気抜き口の栓を外して確認するものと異なり、大型の油入変圧器１にあっても、作業者による高い位置での直接的な作業は不要となる。この結果、本実施形態の油入変圧器１によれば、導油管８の最上部に、絶縁油の油面の高さを視認可能な確認窓１２を設けたので、注油時における必要量の注油が行われたことの確認を容易且つ確実に行うことができるという優れた効果を得ることができる。
【００２３】
（２）第２、第３の実施形態、その他の実施形態
次に、図４及び図５を参照して、第２の実施形態について述べる。第２の実施形態に係る油入静止誘導機器たる油入変圧器２１が、上記第１の実施形態の油入変圧器１と異なる点は、放熱器２２の構成にある。即ち、油入変圧器２１は、変圧器本体２を収容するタンク３と、タンク３の図で左右の側部に接続される複数個のユニット状の放熱器２２と、タンク３の上部に設けられたコンサベータ２８とを備えている。
【００２４】
さて、前記放熱器２２は、やはり、上部ヘッダ２３、下部ヘッダ２４、それらの間を接続する複数枚の放熱パネル２５を備え、全体として、縦長の矩形ブロック状に構成されているのであるが、上記第１の実施形態の放熱器４と比べて、高さ方向（上方）に大型に構成されている。つまり、上部ヘッダ２３の高さ位置が、タンク３の高さよりも高くなるように構成されている。
【００２５】
このとき、上部ヘッダ２３は、図で左右方向に延びる円筒パイプ状をなしているのであるが、前記タンク３との間の接続は、タンク３の側面上端部から上方に延伸され、各上部ヘッダ２３の基端部（図５で左端側）に夫々つながる導油管としての複数本の接続管２６によりなされるようになっている。前記下部ヘッダ２４は、基端側がタンク３内に連通するように該タンク３の側壁部の下端部に接続されている。
【００２６】
そして、本実施形態では、タンク３の右側部の最も手前側に配置された放熱器２２における、１つの接続管２６の上端部即ちＬ字状に折曲がる部分の正面部に、絶縁油の油面の高さを視認可能な確認窓２７が設けられている。この確認窓２７は、やはり、接続管２６の上端部の前面側に矩形の開口を形成すると共に、その開口を透明ガラスにより塞いで構成される。
【００２７】
上記構成の油入変圧器２１にあっては、確認窓２７を接続管２６のうち少なくともいずれか１つに設けたので、確認窓２７を見ることにより、注油時における油面の確認を容易に行うことが可能となる。従って、この第２の実施形態によっても、接続管２６（放熱器２２）の最上部に、絶縁油の油面の高さを視認可能な確認窓２７を設けたので、注油時における必要量の注油が行われたことの確認を容易且つ確実に行うことができるという優れた効果を得ることができる。特に本実施形態では、確認窓２７を１つの接続管２６に設ける構成としたので、全体の構成を簡単に済ませることができる。
【００２８】
図６は、第３の実施形態に係る油入静止誘導機器たる油入変圧器３１を示すものである。上記第２の実施形態においては、コンサベータ２８が確認窓２７よりも高い位置にあったが、本実施形態では、コンサベータ５を、接続管２６の確認窓２７よりも低い位置に配置している。このような第３の実施形態によっても、接続管２６（放熱器２２）の最上部に、絶縁油の油面の高さを視認可能な確認窓２７を設けたので、注油時における必要量の注油が行われたことの確認を容易且つ確実に行うことができる。また、コンサベータ５を比較的低い位置、例えば、放熱器２２の上端の確認窓２７よりも低い位置に持ってきたので、油入変圧器３１全体としての高さ寸法を低く抑えることができる。
【００２９】
尚、上記した各実施形態では、絶縁油として、鉱油を例にあげたが、鉱油以外の絶縁油全般や液体シリコーンなどであっても良い。上記各実施形態では、コンサベータ５、２８を設けるようにしたが、コンサベータを設けない構成としても良い。変圧器の全体的な構成としても、絶縁油を強制循環させるための循環用ポンプや、強制冷却用のファン装置等を有するものであっても良い。放熱器の構成としても、様々な変更が可能である。
【００３０】
その他、静止誘導機器としては、変圧器に限らず、例えばリアクトルに適用することもできる。以上説明したいくつかの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
図面中、１、２１、３１は油入変圧器(油入静止誘導機器）、２は変圧器本体（誘導機器本体）、３はタンク、４、２２は放熱器、５、２８はコンサベータ、６は注油口、８は導油管、９、２３は上部ヘッダ、１０、２４は下部ヘッダ、１１、２５は放熱パネル、１２、２７は確認窓、２６は接続管を示す。
【図１】
2018195667.tif 000003
【図２】
2018195667.tif 000004
【図３】
2018195667.tif 000005
【図４】
2018195667.tif 000006
【図５】
2018195667.tif 000007
【図６】
2018195667.tif 000008